(57)【要約】【課題】計測データと画像をともに記録するシステムにおいて、両データの時間的同期を確立する。【解決手段】センサ１０で取得したセンサ出力はデータレコーダ１２に供給される。データレコーダ１２は、サンプリングクロック源１４で生成されたサンプリングクロックでセンサ出力をサンプリングし、計測データ記憶部１８に記憶する。一方、ビデオカメラ２０で撮影した画像は画像レコーダ２２に供給される。画像レコーダ２２は、撮影画像をＪＰＥＧ画像に変換して画像記憶部３２に記憶する。サンプリングクロックは画像レコーダ２２の時間情報バッファ／カウンタ３０にも供給され、サンプリングタイミングに同期した時間情報が生成されてＪＰＥＧ画像に付加される。【選択図】図１
2007028344.tif 000002
【特許請求の範囲】
【請求項１】
ビデオカメラで得られた画像に時間情報を付加して記録する画像記録装置に対して該時間情報を提供する装置であって、
センサから入力したアナログセンサ信号をデジタル信号に変換するＡ／Ｄ変換手段と、
前記Ａ／Ｄ変換手段にサンプリングクロック信号を供給するサンプリングクロック生成手段と、
前記Ａ／Ｄ変換手段からのデータを記憶するデータ記憶手段と、
前記サンプリングクロック信号を前記時間情報として前記画像記録装置に供給する出力手段と、
を有し、前記アナログセンサ信号のサンプリングタイミングに同期した時間情報を前記画像に付加することを特徴とするデータ記録装置。
【請求項２】
ビデオカメラで得られた画像に時間情報を付加して記録する画像記録装置に対して該時間情報を提供する装置であって、
ＧＰＳ衛星からの電波を受信して時間データを抽出するＧＰＳレシーバと、
センサから入力したアナログセンサ信号をデジタル信号に変換するＡ／Ｄ変換手段と、
前記Ａ／Ｄ変換手段にサンプリングクロック信号を供給するサンプリングクロック生成手段と、
前記Ａ／Ｄ変換手段からのデータを記憶するデータ記憶手段と、
前記ＧＰＳレシーバで抽出した時間データ及び前記サンプリングクロック信号を前記時間情報として前記画像記録装置に供給する出力手段と、
を有し、前記アナログセンサ信号のサンプリングタイミングに同期した時間情報を前記画像に付加することを特徴とするデータ記録装置。
【請求項３】
測定対象のデータを記録するデータ記録装置と、
前記測定対象の画像を記録する画像記録装置と、
を含むデータ記録システムであって、
前記データ記録装置は、
センサから入力したアナログセンサ信号をデジタル信号に変換するＡ／Ｄ変換手段と、
前記Ａ／Ｄ変換手段にサンプリングクロック信号を供給するサンプリングクロック生成手段と、
前記Ａ／Ｄ変換手段からのデータを記憶するデータ記憶手段と、
前記サンプリングクロック信号を前記時間情報として前記画像記録装置に供給する出力手段と、
を有し、
前記画像記録装置は、
前記時間情報を前記画像に付加して記憶する画像処理手段と、
を有することを特徴とするデータ記録システム。
【請求項４】
測定対象のデータを記録するデータ記録装置と、
前記測定対象の画像を記録する画像記録装置と、
を含むデータ記録システムであって、
前記データ記録装置は、
ＧＰＳ衛星からの電波を受信して時間データを抽出するＧＰＳレシーバと、
センサから入力したアナログセンサ信号をデジタル信号に変換するＡ／Ｄ変換手段と、
前記Ａ／Ｄ変換手段にサンプリングクロック信号を供給するサンプリングクロック生成手段と、
前記Ａ／Ｄ変換手段からのデータを記憶するデータ記憶手段と、
前記ＧＰＳレシーバで抽出した時間データ及び前記サンプリングクロック信号を前記時間情報として前記画像記録装置に供給する出力手段と、
を有し、
前記画像記録装置は、
前記時間情報を前記画像に付加する画像処理手段と、
前記時間情報が付加された画像を記憶する画像記憶手段と、
を有することを特徴とするデータ記録システム。
【請求項５】
測定対象のデータを記録するデータ記録装置と、
前記測定対象の画像を記録する画像記録装置と、
を含むデータ記録システムであって、
前記データ記録装置は、
ＧＰＳ衛星からの電波を受信して第１時間データを抽出する第１ＧＰＳレシーバと、
センサから入力したアナログセンサ信号をデジタル信号に変換するＡ／Ｄ変換手段と、
前記Ａ／Ｄ変換手段にサンプリングクロック信号を供給するサンプリングクロック生成手段と、
前記Ａ／Ｄ変換手段からのデータに前記第１時間データを付加して記憶するデータ記憶手段と、
を有し、
前記画像記録装置は、
前記ＧＰＳ衛星からの電波を受信して第２時間データを抽出する第２ＧＰＳレシーバと、
前記画像に前記第２時間データを付加する画像処理手段と、
前記第２時間データが付加された画像を記憶する画像記憶手段と、
を有し、前記データ記録装置及び前記画像記録装置は、前記第１時間データ及び前記第２時間データが予め設定された時間データに一致した時点でデータの記憶及び画像の記憶を開始することを特徴とするデータ記録システム。
【発明の詳細な説明】
【技術分野】
【０００１】
本発明はデータ記録装置及びデータ記録システムに関し、特に測定対象のデータと画像の同期確立に関する。
【背景技術】
【０００２】
従来より、測定対象にセンサを取り付けてアナログ信号データをデータレコーダに記録するとともに、該測定対象をビデオカメラで撮影して画像としてＶＴＲに記録し、データレコーダのデータとＶＴＲの画像とを照合して測定対象の挙動を総合的に判定する技術が知られている。民生用ビデオカメラを用いる場合、制御信号による撮影開始／終了の高精度な制御が困難であることから、ビデオカメラとデータレコーダがそれぞれのタイミングで記録を行うため、データレコーダのデータとＶＴＲの画像の同期を確立する必要がある。そこで、従来より、データレコーダでの記録開始時点でストロボ等の光源を発光させ、発光させた様子をビデオカメラ画像内に映し込んで開始タイミングを合わせている。
【０００３】
下記に示す特許文献には、タイムコードジェネレータによりタイムコードを生成し、このタイムコードをビデオ信号に重畳することが開示されている。
【０００４】
【特許文献１】特開平９−１８６９５９号公報
【発明の開示】
【発明が解決しようとする課題】
【０００５】
データレコーダのデータとＶＴＲ等の画像レコーダの画像との同期を確立するためには、データレコーダでのデータ記録時間に関連する時間情報を画像に付加する必要がある。ストロボ等の光源を発光させて画像に映し込む方法では、開始のタイミングを検出することは可能であるが、データレコーダと画像レコーダはそれぞれ個別のタイミングでデータ及び画像を記録するため、時間のずれが累積されてしまう問題がある。したがって、開始タイミングだけでなく、簡易かつ高精度に時間情報を継続的に画像レコーダに供給し、画像に時間情報を付加する必要がある。
【０００６】
本発明の目的は、データレコーダに記録されたデータと、ＶＴＲ等の画像レコーダに記録された画像との同期を容易に確立することができる装置及びシステムを提供することにある。
【課題を解決するための手段】
【０００７】
本発明は、ビデオカメラで得られた画像に時間情報を付加して記録する画像記録装置に対して該時間情報を提供する装置であって、センサから入力したアナログセンサ信号をデジタル信号に変換するＡ／Ｄ変換手段と、前記Ａ／Ｄ変換手段にサンプリングクロック信号を供給するサンプリングクロック生成手段と、前記Ａ／Ｄ変換手段からのデータを記憶するデータ記憶手段と、前記サンプリングクロック信号を前記時間情報として前記画像記録装置に供給する出力手段とを有し、前記アナログセンサ信号のサンプリングタイミングに同期した時間情報を前記画像に付加することを特徴とする。
【０００８】
また、本発明は、ビデオカメラで得られた画像に時間情報を付加して記録する画像記録装置に対して該時間情報を提供する装置であって、ＧＰＳ衛星からの電波を受信して時間データを抽出するＧＰＳレシーバと、センサから入力したアナログセンサ信号をデジタル信号に変換するＡ／Ｄ変換手段と、前記Ａ／Ｄ変換手段にサンプリングクロック信号を供給するサンプリングクロック生成手段と、前記Ａ／Ｄ変換手段からのデータを記憶するデータ記憶手段と、前記ＧＰＳレシーバで抽出した時間データ及び前記サンプリングクロック信号を前記時間情報として前記画像記録装置に供給する出力手段とを有し、前記アナログセンサ信号のサンプリングタイミングに同期した時間情報を前記画像に付加することを特徴とする。
【０００９】
また、本発明は、測定対象のデータを記録するデータ記録装置と、前記測定対象の画像を記録する画像記録装置とを含むデータ記録システムであって、前記データ記録装置は、センサから入力したアナログセンサ信号をデジタル信号に変換するＡ／Ｄ変換手段と、前記Ａ／Ｄ変換手段にサンプリングクロック信号を供給するサンプリングクロック生成手段と、前記Ａ／Ｄ変換手段からのデータを記憶するデータ記憶手段と、前記サンプリングクロック信号を前記時間情報として前記画像記録装置に供給する出力手段とを有し、前記画像記録装置は、前記時間情報を前記画像に付加して記憶する画像処理手段とを有することを特徴とする。
【００１０】
また、本発明は、測定対象のデータを記録するデータ記録装置と、前記測定対象の画像を記録する画像記録装置とを含むデータ記録システムであって、前記データ記録装置は、ＧＰＳ衛星からの電波を受信して時間データを抽出するＧＰＳレシーバと、センサから入力したアナログセンサ信号をデジタル信号に変換するＡ／Ｄ変換手段と、前記Ａ／Ｄ変換手段にサンプリングクロック信号を供給するサンプリングクロック生成手段と、前記Ａ／Ｄ変換手段からのデータを記憶するデータ記憶手段と、前記ＧＰＳレシーバで抽出した時間データ及び前記サンプリングクロック信号を前記時間情報として前記画像記録装置に供給する出力手段とを有し、前記画像記録装置は、前記時間情報を前記画像に付加する画像処理手段と、前記時間情報が付加された画像を記憶する画像記憶手段とを有することを特徴とする。
【００１１】
また、本発明は、測定対象のデータを記録するデータ記録装置と、前記測定対象の画像を記録する画像記録装置とを含むデータ記録システムであって、前記データ記録装置は、ＧＰＳ衛星からの電波を受信して第１時間データを抽出する第１ＧＰＳレシーバと、センサから入力したアナログセンサ信号をデジタル信号に変換するＡ／Ｄ変換手段と、前記Ａ／Ｄ変換手段にサンプリングクロック信号を供給するサンプリングクロック生成手段と、前記Ａ／Ｄ変換手段からのデータに前記第１時間データを付加して記憶するデータ記憶手段とを有し、前記画像記録装置は、前記ＧＰＳ衛星からの電波を受信して第２時間データを抽出する第２ＧＰＳレシーバと、前記画像に前記第２時間データを付加する画像処理手段と、前記第２時間データが付加された画像を記憶する画像記憶手段とを有し、前記データ記録装置及び前記画像記録装置は、前記第１時間データ及び前記第２時間データが予め設定された時間データに一致した時点でデータの記憶及び画像の記憶を開始することを特徴とする。
【発明の効果】
【００１２】
本発明によれば、データ記録装置と画像記録装置とで時間情報を共有するため、両データの時間同期を容易に確立することができる。特に、本発明ではデータ記録装置でのデータサンプリングに用いるサンプリングクロックを画像記録装置に供給し、画像記録装置でこのクロックを時間情報として用いるので、簡易な構成で時間同期を確立することができる。本発明では、センサでのデータ取得タイミングと、ビデオカメラでの撮影タイミングが同期していなくても、両データの時間同期を確立することができる。
【発明を実施するための最良の形態】
【００１３】
以下、図面に基づき本発明の実施形態について説明する。
【００１４】
図１に、本実施形態にかかるデータ記録システムの構成を示す。データ記録システムは、データレコーダ１２と画像レコーダ２２を含む。画像レコーダ２２は、ＶＴＲやＤＶＤレコーダ等で構成される。
【００１５】
センサ１０は測定対象に取り付けられ、測定対象の物理量を検出してアナログセンサ出力をデータレコーダ１２に供給する。測定対象は任意であり、例えば車両のサスペンション部に取り付けられる。
【００１６】
データレコーダ１２は水晶発振器等のサンプリングクロック源１４、Ａ／Ｄ変換器１６及び計測データ記憶部１８を有する。各部は図示しないプロセッサにより制御される。センサ１０からのアナログセンサ信号はＡ／Ｄ変換器１６に供給される。また、サンプリングクロック源からのサンプリングクロックもＡ／Ｄ変換器１６に供給される。Ａ／Ｄ変換器１６は、供給されたサンプリングクロックを用いてアナログセンサ信号をサンプリングして計測データ記憶部１８に出力する。計測データ記憶部１８は、サンプリングされたデータを記憶する。
【００１７】
ビデオカメラ２０はセンサ１０の測定対象あるいはその近傍を撮影する。センサ１０が車両のサスペンションに取り付けられる場合、ビデオカメラ２０はサスペンションあるいは車輪を撮影する。ビデオカメラ２０は撮影した画像を画像レコーダ２２に供給する。
【００１８】
画像レコーダ２２はビデオＡ／Ｄ変換器２４、ＪＰＥＧ変換器２６、画像／時間情報埋め込み回路２８、時間情報バッファ／カウンタ３０及び画像記憶部３２を含む。各部は図示しないプロセッサにより制御される。ビデオカメラ２０からの画像はビデオＡ／Ｄ変換器２４に供給される。ビデオＡ／Ｄ変換器２４は画像信号をデジタル信号に変換し、ＪＰＥＧ変換器２６に供給する。ＪＰＥＧ変換器２６はデジタル画像データをＪＰＥＧフォーマットに変換して画像／時間情報埋め込み回路２８に供給する。画像／時間情報埋め込み回路２８には、時間情報バッファ３０からの時間情報も供給される。画像／時間情報埋め込み回路２８は、ＪＰＥＧ画像の各フレームに時間情報バッファ３０からの時間情報を付加して画像記憶部３２に出力する。ＪＰＥＧ画像は１／３０（ｓｅｃ）で１フレームであり、これらのフレームのそれぞれに時間情報バッファ３０からの時間情報が付加される。画像記憶部３２は、時間情報が付加されたＪＰＥＧ画像を記憶する。
【００１９】
データレコーダ１２と画像レコーダ２２は、通信ラインで互いに接続される。図には、通信ラインとしてクロック信号ライン（ＣＬＫ）、シリアル信号ライン、ＳＴＡＴＵＳ信号ライン、及びＳＴＡＲＴ／ＳＴＯＰ制御ラインが示されている。データレコーダ１２のプロセッサは、ＳＴＡＲＴ／ＳＴＯＰ制御ラインを介してスタート信号及びストップ信号を画像レコーダのプロセッサに供給する。また、ＳＴＡＴＵＳ信号ラインを通じて画像レコーダ２２の状態を監視し、画像レコーダ２２の状態の検出に基づいて各種信号を画像レコーダ２２に出力する。すなわち、データレコーダ１２と画像レコーダ２２の同期動作を行う際に、データレコーダ１２のプロセッサは、画像レコーダ２２の状態をチェックし、画像レコーダ２２から出力される動作準備ＯＫを示す信号（例えば、Ｒｅａｄｙ信号）の検出に基づいて、スタート信号を画像レコーダ２２のプロセッサに供給する。各レコーダの動作中は、データレコーダ１２のプロセッサがＳＴＡＴＵＳ信号ラインを通じて画像レコーダ２２から出力される信号を常時監視し、何らかの異常信号を検出した場合に、ストップ信号を画像レコーダ２２のプロセッサに供給するようにしてもよい。この場合、データレコーダ１２の動作も同時に停止させるようにしてもよい。データレコーダ１２のサンプリングクロック源１４は、Ａ／Ｄ変換器１６にサンプリングクロックを供給するとともに、クロック信号ラインを介して画像レコーダ２２の時間情報バッファ／カウンタ３０にもサンプリングクロックを供給する。サンプリングクロックの周波数は任意であり、ＪＰＥＧ画像の周期（３３ｍｓｅｃ）よりも十分短い周期であればよい。時間情報バッファ／カウンタ３０は入力したサンプリングクロックをカウントし、ＪＰＥＧ画像の各フレームタイミング（３３ｍｓｅｃ）に同期したカウント値を時間情報として出力する。カウンタのカウント開始及び終了は、上述したデータレコーダ１２からのスタート信号及びストップ信号で制御される。すなわち、画像レコーダ２２のプロセッサは、データレコーダ１２のプロセッサからのスタート信号／ストップ信号に応じて時間情報バッファのカウンタのカウント開始／終了を制御し、サンプリングクロックを３３ｍｓｅｃにわたってカウントする。画像／時間情報埋め込み回路２８は、時間情報バッファ／カウンタ３０からの３３ｍｓｅｃ周期のカウント値を時間情報として各ＪＰＥＧ画像フレームに付加する。
【００２０】
図２に、画像記憶部３２に記憶されるＪＰＥＧ画像を模式的に示す。フレーム１，２，３のＪＰＥＧ画像が示されており、各フレームのＪＰＥＧ画像の所定位置、例えばコメントマーカ部分１００に時間情報としてのカウント値が埋め込まれる。この時間情報により、データレコーダ１２の計測データ記憶部１８に記憶されたデータのサンプリングタイミングと、画像レコーダ２２の画像記憶部３２に記憶された画像の時間情報とを関連付けることができ、両データの同期を確立することができる。例えば、計測データのうちのあるデータに異常が発見され、その時点における画像を確認する場合、当該計測データのサンプリングタイミングに対応するカウント値を有する画像を検索すればよい。例えば、着目している計測データのサンプリングタイミングがサンプリングを開始してから１００番目のデータである場合、この１００番目のサンプリングに対応するカウント値を有する画像、あるいは１００番目のサンプリングに対応するカウント値にもっとも近いカウント値を有する画像を検索すればよい。計測データに対応する画像を検索するシステムは、計測データ及び画像をともに入力するコンピュータ利用の照合システムとして構築される。
【００２１】
図３に、計測データ記憶部１８に記憶されたデータ、及び画像記憶部３２に記憶された画像をコンピュータ４０に供給して両データを照合するシステムの構成を示す。コンピュータ４０は、計測データ記憶部１８に記憶されたデータ及び画像記憶部３２に記憶された画像を入力し、メモリに記憶する。コンピュータ４０のプロセッサは、インストールされた照合プログラムに従って両データを所定のフォーマットで画面上に表示する。図４に、表示形態の一例を示す。画面４２の下部にセンサ１０で計測された測定対象の計測データ１０２がグラフ表示される。グラフの各点のデータは計測データ記憶部１８に記憶されたデータである。横軸には時間、あるいはサンプリングナンバが表示される。表示された計測データ群のうち、ユーザがある計測データをマウス等で指定すると、その計測データと時間同期した画像１０４が画面上部に表示される。すなわち、コンピュータ４０のプロセッサは、ユーザがマウス等で指定した計測データのサンプリングナンバに対応するカウント値を算出し、このカウント値に近いカウント値を時間情報として有する画像を検索し、検索して得られた画像を画面上部に表示する。複数の画像がヒットした場合には、これら複数の画像を表示する。マウス等で指定された計測データはハイライト表示される。このようにして、計測データと画像との同期が確立され、特定の計測データと同時間の画像を容易に画面に表示させることができ、ユーザは計測データ異常時の画像を容易に視認できる。もちろん、ユーザが計測データ１０２を時間軸方向にスクロールさせた場合に、画面上に表示されている計測データと同時間の時間情報を有する画像１０４をスクロール操作に連動させて順次表示することも可能である。また、計測データを指定して対応する画像を検索するのではなく、逆に、画像を指定して対応する計測データを検索することも可能である。
【００２２】
本実施形態では、センサ１０でのデータ取得タイミングとビデオカメラ２０での撮影タイミングが同期していなくても、計測データと画像との同期を確立し、照合システムの画面４２上で両データを時間同期させて合成表示することができる。時間同期を確立するためには、データレコーダ１２でのサンプリングタイミングに同期した時間情報を画像レコーダ２２に供給することが必要であるが、本実施形態ではデータレコーダ１２でのサンプリングに用いるサンプリングクロックをそのまま画像レコーダ２２に供給しているため、この条件を満たしている。本実施形態では、画像レコーダ２２の時間情報バッファ／カウンタ３０でクロック信号をカウントする際のカウント開始及びカウント終了をデータレコーダ１２からのＳＴＡＲＴ／ＳＴＯＰ信号で制御しているが、ＪＰＥＧ変換器２６でのＪＰＥＧ画像変換タイミングに同期した信号をＪＰＥＧ変換器２６から時間情報バッファ／カウンタ３０に供給し、この信号に基づいてクロック信号をカウントしてもよい。
【００２３】
図５に、他の実施形態におけるデータ記録システムの構成を示す。図１と異なり、データレコーダ１２はＧＰＳ衛星からのＧＰＳ電波を受信して時間データ（時分秒を規定する絶対時間データ）を抽出する。抽出した絶対時間データはデータレコーダ１２のプロセッサに供給される。データレコーダ１２のプロセッサは、取得した絶対時間情報をシリアル信号ラインを介して画像レコーダ２２に供給する。また、ＧＰＳレシーバ４１はＧＰＳ電波に含まれるクロック信号をサンプリングクロック源１４に供給する。サンプリングクロック源１４はＧＰＳレシーバ４１からのクロック信号に基づいてサンプリングクロックを生成してＡ／Ｄ変換器１６に供給する。サンプリングクロックは、複数種類作成してもよく、例えば１ｋＨｚクロック信号、１０ｋＨｚクロック信号等である。これらは測定対象の物理量に応じて適宜選択される。生成されたクロック信号は、クロック信号ラインＣＬＫを介して画像レコーダ２２にも供給される。計測データレコーダ１２のプロセッサは、Ａ／Ｄ変換器１６でサンプリングされた計測データに取得した絶対時間情報を付加して計測データ記憶部１８に記憶する。
【００２４】
画像レコーダ２２はデータレコーダ１２から入力した絶対時間情報、及びデータレコーダ１２から供給されたクロックをカウントして得られたカウント値を時間情報としてＪＰＥＧ画像の所定位置に埋め込む。例えば、あるフレームのＪＰＥＧ画像に時間情報として「１２時４６分３０秒０１２３」を埋め込む。ここで、「１２時４６分３０秒」はＧＰＳレシーバ４１で抽出した絶対時間情報であり、「０１２３」は時間情報バッファ／カウンタ３０のカウンタでクロック信号をカウントして得られるカウント値である。本実施形態では、計測データと画像がともに絶対時間情報を共有しているため、絶対時間情報をキーとして計測データに対応する画像を検索することが可能である。また、絶対時間情報とともにカウント値が付加されているため、単に絶対時間情報のみでは秒単位でしか特定できないところ、秒以下の画像もカウント値で互いに識別し特定することができる。
【００２５】
本実施形態でも、サンプリングクロック源１４で生成されたサンプリングクロックで計測データをサンプリングするとともに、このサンプリングクロックを画像レコーダ２２での時間情報として利用しているため、両者は時間的に同期している。なお、図１で説明したように、サンプリングクロック源１４はＧＰＳレシーバ４１からのクロック信号とは別に独自にサンプリングクロックを生成することができる。したがって、ＧＰＳレシーバ４１からのクロック信号に同期してサンプリングクロックを生成してＡ／Ｄ変換器１６に供給するとともに、ＧＰＳレシーバ４１からのクロック信号に基づいて生成されたクロック信号をクロックラインＣＬＫを介して画像レコーダ２２に供給してもよい。この場合、計測データをサンプリングするクロック信号と、画像レコーダ２２で時間情報を取得するためのクロック信号は異なることになるが、両信号は時間的に同期しているので問題ない。
【００２６】
図６に、さらに他の実施形態におけるデータ記録システムの構成を示す。図５と異なり、画像レコーダ２２もＧＰＳレシーバ４２を有する。ＧＰＳレシーバ４１で抽出した絶対時間データはデータレコーダ１２のプロセッサに供給されるとともに、ＧＰＳ電波に含まれるクロック信号はサンプリングクロック源１４に供給される。サンプリングクロック源１４は、入力したクロック信号からサンプリングクロックを生成してＡ／Ｄ変換器１６に供給する。サンプリングクロックは例えば１０ｋＨｚである。Ａ／Ｄ変換器１６はセンサ１０からのアナログセンサ信号をサンプリングする。データレコーダ１２のプロセッサは、計測データに絶対時間情報を付加して計測データ記憶部１８に記憶する。
【００２７】
一方、ＧＰＳレシーバ４２で抽出した絶対時間データは時間情報バッファ３４に供給される。画像／時間情報埋め込み回路２８は、ＪＰＥＧ画像に時間情報バッファ３４からの絶対時間情報を時間情報として埋め込む。したがって、本実施形態においても、計測データ及び画像は時間情報として絶対時間情報を共有しているため、絶対時間情報をキーとして計測データに対応する画像を検索することが可能である。また、本実施形態では、計測データレコーダ１２及び画像レコーダ２２がともに同一の絶対時間を有しているため、例えば予めデータレコーダ１２に記録開始及び終了の時間をプログラミングしておくとともに、画像レコーダ２２にも記録開始及び終了の時間をプログラミングしておくことで、所定の時刻に達したときにデータ及び画像の記録を開始し、所定の時刻に達したときにデータ及び画像の記録を終了させることもできる。本実施形態では、データレコーダ１２と画像レコーダ２２間でクロック信号やＳＴＡＲＴ／ＳＴＯＰ信号の通信がないため、センサ１０及びデータレコーダ１２からなるシステムと、ビデオカメラ２０及び画像レコーダ２２からなるシステムが互いに遠隔地に存在していてもよい。
【図面の簡単な説明】
【００２８】
【図１】データ記録システムの構成ブロック図である。
【図２】時間情報が付加されたＪＰＥＧ画像の模式的説明図である。
【図３】データ照合システムの構成図である。
【図４】図３のシステムにおける画面表示説明図である。
【図５】データ記録システムの他の構成ブロック図である。
【図６】データ記録システムのさらに他の構成ブロック図である。
【符号の説明】
【００２９】
１０  センサ、１２  データレコーダ、１４  サンプリングクロック源、１６  Ａ／Ｄ変換器、１８  計測データ記憶部、２０  ビデオカメラ、２２  画像レコーダ、２４  ビデオＡ／Ｄ変換器、２６  ＪＰＥＧ変換器、２８  画像／時間情報埋め込み回路、３０  時間情報バッファ／カウンタ、３２  画像記憶部、３４  時間情報バッファ、４１，４２  ＧＰＳレシーバ。
【図１】
2007028344.tif 000003
【図２】
2007028344.tif 000004
【図３】
2007028344.tif 000005
【図４】
2007028344.tif 000006
【図５】
2007028344.tif 000007
【図６】
2007028344.tif 000008